(57)【要約】【課題】どのような内容のドキュメントに対しても正確にリンク情報を作成することができ、かつ、その作業を非常に簡便にできるリンク情報作成システムを提供する。【解決手段】リンク情報として指定すべき箇所に、所定文字列を記したドキュメントＤと、画像読取手段２で読み取られ、画像データとされたドキュメントＤを文字データに変換する文字データ変換手段４と、この文字データ変換手段４によって文字データに変換されたドキュメントＤより、そのドキュメントＤに記された所定文字列Ｅについて、ドキュメントＤにおける座標位置を認識し、その座標位置の近傍に位置する文字列をリンクタイトルとして認識するリンクタイトル認識手段６と、画像データとして読み取られたドキュメントＤ中、リンクタイトル認識手段６によって抽出されたリンクタイトルに相当する座標位置を付したリンク情報を作成するリンク情報作成手段３とで構成される。【選択図】図１
2005004616.tif 000002
【特許請求の範囲】
【請求項１】
ドキュメントを画像読取手段で読み取り、読み取った画像データの適所を指定したリンク情報を作成するリンク情報作成システムにおいて、
リンク情報として指定すべき箇所に、所定文字列を記したドキュメントと、
上記画像読取手段で読み取られ、画像データとされた上記ドキュメントを文字データに変換する文字データ変換手段と、
この文字データ作成手段によって文字データに変換された上記ドキュメントより、そのドキュメントに記された上記所定文字列について、上記ドキュメントにおける座標位置を認識し、その座標位置の近傍に位置する文字列をリンクタイトルとして認識するリンクタイトル認識手段と、
画像データとして読み取られた上記ドキュメント中、上記リンクタイトル認識手段によって抽出されたリンクタイトルに相当する座標位置を付したリンク情報を作成するリンク情報作成手段とで構成される、ドキュメントのリンク情報作成システム。
【請求項２】
ドキュメントを画像読取手段で読み取り、読み取った画像データの適所を指定したリンク情報を作成するリンク情報作成システムにおいて、
リンク情報として指定すべき箇所に、所定形状の印を記したドキュメントと、
上記画像データとされた上記ドキュメントについて、そのドキュメントに記された上記印の座標位置を認識するとともに、その座標位置の近辺のリンクタイトル画像を認識するリンクタイトル認識手段と、
画像データとして読み取られた上記ドキュメント中、上記リンクタイトル画像に相当する座標位置を飛び位置を付したリンク情報を作成するリンク情報作成手段とで構成される、ドキュメントのリンク情報作成システム。
【請求項３】
ドキュメントを画像読取手段で読み取り、読み取った画像データの適所を指定したリンク情報を作成するリンク情報作成システムにおいて、
リンク情報として指定すべき箇所に、所定形状の印を記したドキュメントと、
上記画像読取手段で読み取られ、画像データとされた上記ドキュメントを文字データに変換する文字データ作成手段と、
上記画像データとされた上記ドキュメントについて、そのドキュメントに記された上記印の座標位置を認識するとともに、上記文字データとされた上記ドキュメントについて、上記印の座標位置の近傍に位置する文字列をリンクタイトルとして認識するリンクタイトル認識手段と、
画像データとして読み取られた上記ドキュメント中、上記リンクタイトルに相当する座標位置を飛び位置を付したリンク情報を作成するリンク情報作成手段とで構成される、ドキュメントのリンク情報作成システム。
【請求項４】
請求項１〜３において、
上記リンク情報作成手段により作成されたリンク情報を表示する表示手段と、
この表示手段に表示された上記リンク情報の修正作業をするための操作手段とを備えており、
上記リンク情報作成手段は、作成したリンク情報を上記表示手段に表示して、上記操作手段の操作によりリンク情報が修正されたときには、修正されたリンク情報を正当な情報として取り扱う構成とした、ドキュメントのリンク情報作成システム。
【請求項５】
請求項１〜４のいずれかにおいて、
上記リンク情報作成手段により上記リンク情報が作成された際には、画像データとして読み取られたドキュメントのうち、上記所定文字列または上記印に相当する箇所を削除する構成とした、ドキュメントのリンク情報作成システム。
【請求項６】
請求項１〜５のいずれかにおいて、
上記ドキュメントは、上記所定文字列を記したシールまたは所定形状のシールを貼り付けてなる構成とした、ドキュメントのリンク情報作成システム。
【請求項７】
請求項１〜５のいずれかにおいて、
上記ドキュメントは、上記所定文字列のスタンプまたは所定形状のスタンプを押印している構成とした、ドキュメントのリンク情報作成システム。
【発明の詳細な説明】
【０００１】
【発明の属する技術分野】
本発明は、ドキュメントを画像読取手段で読み取り、読み取った画像データの適所を指定したリンク情報を作成するリンク情報作成システムの改良に関する。
【０００２】
【従来の技術】
従来より、ドキュメントをスキャナで取り込んで、その画像データの適所を指定したリンク情報を作成する機会が増えてきている。
【０００３】
これは、近年のＩＴ技術の進化に伴うものであり、リンク情報の指定により、ユーザが見たい箇所をドキュメントを順次画面上で繰って探す手間をかけずに、的確に表示できるようにしたものである。
【０００４】
このような機能を持つツールとしては、米国アドビシステムズ社提供のアクロバットが有名であるが、このものでは、リンク情報を作成したい箇所を、ドキュメントを表示画面で順繰り、一つ一つ指定してゆく必要があり、その作業効率が悪かった。
【０００５】
そこで、このような作業効率の悪さを改善するため、本出願人は、下記の非特許文献１に示すツールを開発し市販するに至っている。このものは、ＰＤＦ形式としたドキュメントについて、任意の箇所を指定したリンク情報を作成する機能を備えており、予め米国マイクロソフト社提供のエクセルなどを使用して、そのリンクタイトルや飛び位置などを規定したＣＳＶ形式のファイルを作成しておき、パッチ処理によって、規定された情報通りにリンク情報が作成される構成としている。
【０００６】
また、本出願人は、下記非特許文献２にも示しているが、画像読取手段で読み取ったドキュメントをＯＣＲ処理して文字データとし、そのドキュメントから、リンク情報となる可能性のある文字列とその座標位置とを認識して、リンク情報となりそうな文字列を飛び先としてリンク情報を作成する構成としている。
これらにより、ドキュメントを表示画面上で順繰り、リンク情報を作成したい箇所を１つ１つ指定してゆく手間を省けるに至った。
【０００７】
【非特許文献１】
ｈｔｔｐ：／／ｈｙｐｅｒｇｅａｒ．ｃｏｍ／ｐｄｆ／ｐｒｏｔｏｏｌｓ＿ｐｒｏｄｕｃｔｓ．ｈｔｍ＃ｓｉｏｒｉ
【０００８】
【非特許文献２】
ｈｔｔｐ：／／ｈｙｐｅｒｇｅａｒ．ｃｏｍ／ｐｄｆ／ｐｓｃａｎｓｅｒｖ３＿ｐｒｏｄｕｃｔ．ｈｔｍ
【０００９】
【発明が解決しようとする課題】
ところが、上記のようなツールを用いた結果、以下のような問題点が浮上してきた。つまり、ＣＳＶ形式ファイルに規定した情報をパッチ処理によりリンク情報を作成するツール（非特許文献１に開示）では、ＣＳＶ形式ファイルに規定する情報は、ドキュメント中の飛び位置を視認した上で、正確に規定されている必要があり、飛び位置の指定ミスが生じるおそれがあった。
【００１０】
一方のリンク情報となる可能性ある文字列を認識するツール（非特許文献２に開示）では、予めその候補となる文字列を規定しておく必要があるため、候補外となる文字列をリンク情報とすることはできない。
【００１１】
また、候補内の文字列がドキュメント中にある場合でも、その文字列の中に同一文字列があると、同一の文字列の中に複数の飛び位置ができてしまい、不都合があった。
【００１２】
本出願人が、そのような事情を考慮して創意工夫した結果、想到されたものが本発明であり、目的とするところは、どのような内容のドキュメントに対しても正確にリンク情報を作成することができ、かつ、その作業を非常に簡便にできるリンク情報作成システムを提供することである。
【００１３】
【課題を解決するための手段】
上記目的を達成するため、請求項１に記載のリンク情報作成システムでは、リンク情報として指定すべき箇所に、所定文字列を記したドキュメントと、画像読取手段で読み取られ、画像データとされたドキュメントを文字データに変換する文字データ作成手段と、この文字データ作成手段によって文字データに変換されたドキュメントより、そのドキュメントに記された所定文字列について、ドキュメントにおける座標位置を認識し、その座標位置の近傍に位置する文字列をリンクタイトルとして認識するリンクタイトル認識手段と、画像データとして読み取られたドキュメント中、リンクタイトル認識手段によって抽出されたリンクタイトルに相当する座標位置を付したリンク情報を作成するリンク情報作成手段とで構成される
このリンク情報作成システムでは、ユーザは、リンクを貼りたい箇所、例えば、文章の最初部分に、所定文字列（例えば「しおり１」、「しおり２」）を記しておく。ついで、所定文字列を記したドキュメントをスキャナで読み取る。読み取られたドキュメント画像はＯＣＲ変換処理によりテキストデータに変換される。
【００１４】
そして、変換後のドキュメントのテキストデータより、前記所定文字列を検索し、その近傍にある文字列を探し、これをリンクタイトルとして抽出する。
【００１５】
そして、抽出したリンクタイトルの座標位置（開始位置〜終了位置における縦横ミリ数や、縦横ドット数など）を認識し、これを抽出したリンクタイトルと関連付けてリンク情報として作成する。
【００１６】
請求項２に記載のリンク情報作成システムでは、リンク情報として指定すべき箇所に、所定形状の印を記したドキュメントと、画像データとされたドキュメントについて、そのドキュメントに記された印の座標位置を認識するとともに、その座標位置の近辺のリンクタイトル画像を認識するリンクタイトル認識手段と、画像データとして読み取られたドキュメント中、リンクタイトル画像に相当する座標位置を飛び位置を付したリンク情報を作成するリンク情報作成手段とで構成される。
【００１７】
このリンク情報作成システムでは、ユーザは、リンクを貼りたい箇所、例えば、文章の最初部分に、所定形状の印を記しておく。
ついで、この印を記したドキュメントがスキャナで読み取られ、ドキュメントの画像データより、前記所定形状を検索し、その所定形状の近辺のリンクタイトル画像を認識する。
【００１８】
そして、ドキュメント中で、認識したリンクタイトル画像が存在する座標位置（先述）を認識し、これとリンクタイトルとを関連付けたリンク情報として作成する。
【００１９】
請求項３に記載のリンク情報作成システムでは、画像読取手段で読み取られ、画像データとされたドキュメントを文字データに変換する文字データ作成手段と、画像データとされたドキュメントについて、そのドキュメントに記された印の座標位置を認識するとともに、文字データとされたドキュメントについて、印の座標位置の近傍に位置する文字列をリンクタイトルとして認識するリンクタイトル認識手段と、画像データとして読み取られたドキュメント中、リンクタイトルに相当する座標位置を飛び位置を付したリンク情報を作成するリンク情報作成手段とで構成される。
【００２０】
このリンク情報作成システムでは、ユーザは、リンクを設定したい箇所、例えば、文章の最初部分に、所定形状（先述）の印を記しておく。ついで、この印を記したドキュメントをスキャナで読み取る。読み取られたドキュメントはＯＣＲ変換処理によりテキストデータに変換される。
【００２１】
そして、ドキュメントの画像データより、所定形状を検索し、その所定形状の近傍にある文字列について、ドキュメントの文字データよりに対応するリンクタイトルを抽出する。
【００２２】
そして、ドキュメントの画像データ中で、認識したリンクタイトルが存在する座標位置（先述）を認識し、これとリンクタイトルとを関連付けたリンク情報として作成する。
【００２３】
請求項４に記載のリンク情報作成システムでは、リンク情報作成手段により作成されたリンク情報を表示する表示手段と、この表示手段に表示されたリンク情報の修正作業をするための操作手段とを備えており、リンク情報作成手段は、作成したリンク情報を表示手段に表示して、操作手段の操作によりリンク情報が修正されたときには、修正されたリンク情報を正当な情報として取り扱う構成とした。
【００２４】
このリンク情報作成システムでは、請求項１〜３に記載のシステムによって作成されたリンク情報の確認、修正作業を可能とした構成としている。つまり、請求項１〜３の発明によって作成されたリンク情報は、正式なものとして決定されるまでは仮決定の形にされ、作成後直ちに表示手段に表示される。
【００２５】
表示手段には、少なくとも、リンクタイトルと、所定文字列または所定形状の座標位置とが表示される。これらの情報をユーザが見て、操作手段を操作して修正可能としている。決定操作は所定操作により行う。例えば、ＥＮＴＥＲキーの操作で行う。
【００２６】
請求項５に記載のリンク情報作成システムでは、リンク情報作成手段によりリンク情報が作成された際には、画像データとして読み取られたドキュメントのうち、所定文字列または印に相当する箇所を削除する構成とした。
【００２７】
請求項６または７に記載のリンク情報作成システムでは、請求項１〜５に記載の所定文字列または所定形状印の記を容易にしたものであり、請求項６では、ドキュメントは、所定文字列を記したシールまたは所定形状のシールを貼り付けてなる構成とし、請求項７では、ドキュメントは、所定文字列のスタンプまたは所定形状のスタンプを押印している構成としている。
【００２８】
【発明の実施の形態】
以下に、本発明の実施の形態について説明する。図１は、本発明のリンク情報作成システムの概略構成の一例を示すブロック図である。このシステムＳは、このシステムＳ全体を統括して制御する制御手段１と、ドキュメントＤを読み取り画像データとする画像読取手段２と、後述する所定文字列（所定形状印）の座標位置とリンクタイトルとを対応付けたリンク情報を作成するリンク情報作成手段３と、画像データとしてドキュメントをＯＣＲ変換してテキストデータとする文字データ変換手段４と、リンク情報や読み取り画像データ、あるいは、このリンク情報作成システムの機能を実行させるための所定プログラムを記憶した記憶手段５と、後述するリンクタイトル認識手段６と、表示手段７と、操作手段８とを備える。
【００２９】
図２は、このシステムＳの具体的構成例について示す図であり、システムＳは、コンピュータＳと、ドキュメントＤを読み取るスキャナＢとをケーブルＬで接続した構成としている。コンピュータＣには、制御手段１、リンク情報作成手段３、文字データ変換手段４、記憶手段５、リンクタイトル認識手段６が組み込まれており、スキャナ２は画像読取手段２を構成している。
【００３０】
なお、コンピュータＳとスキャナＢとは、ワイヤレス信号の送受により、ドキュメントＤの読み取り指示、読み取ったドキュメントＤの画像データの伝送ができるような構成にしてもよい。
【００３１】
このような構成のシステムＳにつき、本発明の特徴であるリンク情報作成処理について以下説明する。
【００３２】
図３、４は、リンク情報を作成すべきドキュメントＤを示すものである。図３のドキュメントＤによれば、リンク情報として指定すべき位置に対して、所定文字列Ｅ１〜Ｅ３（ここでは「＞しおり１」、「＞しおり２」・・・）が記されており、それぞれの所定文字列Ｅ１〜Ｅ３の近傍には、リンクタイトルとなるべき文字列Ｆ１〜Ｆ３（ここでは「第１章」、「１．１はじめに」、「１．２準備」）がある。
【００３３】
一方の図４のドキュメントＤ２によれば、リンク情報として指定すべき位置に対して、所定形状の印Ｇ１〜Ｇ３が記されており、それぞれの所定形状印Ｇ１〜Ｇ３の近傍には、リンクタイトルとなるべき文字列Ｆ１〜Ｆ３（先述）がある。
【００３４】
所定文字列Ｅ１〜Ｅ３や、所定形状印Ｇ１〜Ｇ３の各々は、ユーザによってシールあるいは印刷によってドキュメントＤ１，２に貼り付け、印字される。なお、これらは手書きでもよい。また、所定形状印Ｇ１〜Ｇ３は、各々異なるバーコードであってもよい。
【００３５】
なお、所定文字列Ｅ１〜Ｅ３では、「＞しおり１」がリンク種類「章」を表し、それ以外が「節」を現している。同様に、所定形状印Ｇ１〜Ｇ３は、印Ｇ１が「章」を現し、それ以外は「節」を現す。このような対応情報は、予め記憶手段５にテーブルとして格納しており、後述する図６のようなリンク情報作成時に、文字列Ｅ１〜Ｅ３や形状印Ｇ１〜Ｇ３の違いによって対応して付加される。
【００３６】
リンク情報作成システムＳは、以上の構成のドキュメントＤ１，２を読み取ることから処理が始まる。つまり、図５のフローチャートに示すように、画像読取手段２でドキュメントＤ１，２を読み取ると（１００）、読み取られたドキュメントＤ１，２は画像データとされ、ついで、文字データ変換手段４によりＯＣＲ処理が施され、テキストデータとされる（１０１）。
【００３７】
なお、ドキュメントＤ１，２の画像データ及びテキストデータの各々は、記憶手段５の所定位置に別途格納される。
【００３８】
そして、リンクタイトル認識手段６は、所定文字列Ｅ１〜３，Ｇ１〜３の各々のドキュメント画像中での座標位置、例えば、画像中でのミリ数値、ドット数値などによる座標位置を認識し（１０２）、各々の座標位置と近傍の文字列Ｆ１〜Ｆ３の各々を認識する（１０３）。
【００３９】
ここで、所定文字列Ｅ１〜Ｅ３、所定形状印Ｇ１〜Ｇ３から近傍にある文字列Ｆ１〜Ｆ３の認識は以下のように行う。
【００４０】
その手法は、例えば、以下の４つが挙げられる。まず、第１には、ドキュメントが横書きであり、リンクタイトルとしたい箇所の左側に文字列や印を記す場合には、当該文字列や印にもっとも近い垂直位置をもつ１行をリンクタイトルと認識する。
第２には、ドキュメントが縦書きであり、リンクタイトルとしたい箇所の上側に文字列や印を記す場合には、当該文字列や印にもっとも近い水平位置をもつ１行をリンクタイトルと認識する。
【００４１】
第３には、縦書き、横書きいずれにかかわらず、当該文字列や印にもっとも距離的に近い文字列をリンクタイトルと認識する。すなわち、当該文字列や印からの水平距離、垂直距離の双方から三平方の定理によって求まる距離で、最も近い文字列をリンクタイトルとする。
【００４２】
第４には、ドキュメントが縦書きか横書きかにかかわらず、２行をリンクタイトルとしたい場合に、当該文字列や印をこれらのタイトル行の行間に設定するときには、これらのタイトル行から所定の距離的にある範囲にある領域をリンクタイトルする。すなわち、当該文字列や印の位置からの水平距離、垂直距離を基に三平方の定理で定まる距離的でもっとも近い距離にある一定範囲をリンクタイトルとする。
【００４３】
これらの手法は、後述する図６の処理にも適用でき、これら４つには限定されないことはいうまでもない。
【００４４】
そして、認識した文字列Ｆ１〜Ｆ３のそれぞれをリンクタイトルとするとともに、その座標位置を認識する（１０４）。
【００４５】
そして、リンク情報作成手段３は、認識したそれぞれのリンクタイトルＦ１〜Ｆ３に対応するこれら各々の近傍座標位置を飛び位置としたリンク情報、つまり、リンクタイトルの座標位置を飛び位置としたリンク情報を作成し、記憶手段５の所定位置に別途格納する（１０５）。それが終了すれば、所定文字列や所定形状印に相当する画像を消去する（１０６）。
【００４６】
また、ドキュメントＤ２のリンク情報の作成には、図６の手法を用いることもできる。
すなわち、画像読取手段２でドキュメントＤ２を読み取ると、読み取られたドキュメントＤ２は画像データとされる（２００）。
【００４７】
なお、ドキュメントＤ２の画像データは、記憶手段５の所定位置に格納される。
【００４８】
そして、リンクタイトル認識手段６は、所定形状印Ｇ１〜３の各々のドキュメント画像中での座標位置、例えば、画像中でのミリ数値、ドット数値などによる座標位置を認識するとともに、その近辺に位置するリンクタイトル画像を抽出する（２０１）。
【００４９】
そして、そのリンクタイトル画像の座標位置を認識し（２０２）、リンク情報作成手段３が、リンクタイトル画像の座標位置を飛び位置としたリンク情報、つまり、リンクタイトルの座標位置を飛び位置としたリンク情報を作成し、記憶手段５の所定位置に格納する（２０３）。それが終了すれば、所定形状印に相当する画像を消去する（２０４）。
【００５０】
図７は、図５，６におけるリンク情報作成処理により作成されたリンク情報の一例について示す図である。ここでは、記憶手段５における記憶態様の一例を兼ねたものを示しているが、リンク情報は、リンクタイトル認識手段６で認識したリンクタイトルＴ１〜Ｔ３と、各々の飛び位置としての座標Ｐ１〜Ｐ３とで構成され、各々記憶手段５に対応して登録される。なお、先述したように、所定文字列Ｅ１〜Ｅ３や所定形状印Ｇ１〜Ｇ３のそれぞれに対応して、リンク種類「章」、「節」などを対応づけて所定テーブルとして格納しておき、リンク情報作成時において、リンクタイトルＴ１〜Ｔ３ごとに、対応するリンク種類を記するようにしてもよい。
【００５１】
ここで、図５、６のステップ１０５、２０３において作成したリンク情報は一旦仮登録という形で記憶手段５に格納しておき、ステップ１０５、２０３に次いで、図８に示すようなリンク情報確認・修正画面Ｒ１をコンピュータＣのモニタ上に表示させてもよい。
【００５２】
この画面Ｒ１によれば、作成されたリンク情報が表示され、リンクタイトルＴ１〜Ｔ３、各々に対応した座標位置Ｐ１〜Ｐ３が表示されている。
【００５３】
リンクタイトルＴ１〜Ｔ３、座標位置Ｐ１〜Ｐ３の各々はここでは白抜き中に表示されるようにしており、ユーザはこれを見て、リンク情報の設定が正確かどうかを確認する。正確であれば、図示しないコンピュータＣのＥＮＴＥＲキー操作などによりこの情報の本登録をするが、不正確であった場合には、白抜きの表示を操作手段８の操作により、正しい記載に修正する。修正後は先述のＥＮＴＥＲキー操作すれば修正後の情報が本登録される。
【００５４】
図９は、先述したリンク情報作成処理により作成されたリンク情報の使用例について説明するための図である。
【００５５】
つまり、米国アドビシステムズ社のアクロバットリーダーなどの画像データ表示ソフト上にて、読み取られ記憶手段５に記憶しているドキュメントＤ１，２を読み出し表示すれば、所定文字列Ｅや所定形状印Ｇを記した箇所と近傍の文字列Ｆ１〜Ｆ３の各々が、リンクタイトルＴ１〜Ｔ３として表示されている。
【００５６】
また、当初に所定文字列Ｅや所定形状印Ｇを記した箇所においては、これらの文字列Ｅや印Ｇは除去されている。
【００５７】
ユーザは、リンクタイトルＴ１〜Ｔ３の各々につき、マウスなどのポインティングデバイスにより指定すれば、各々に対応した飛び位置、つまり文字列Ｆ１〜Ｆ３の存在する行が画面Ｒ２の最上段に移動して表示される。
【００５８】
【発明の効果】
以上の説明からも理解できるように、請求項１に記載のリンク情報作成システムでは、リンクを貼りたい箇所に、所定文字列を記しておけば、その文字列とは近傍の文字列がリンクタイトルとして抽出され、そのタイトルと、タイトルの座標位置とを対応付けたリンク情報が作成されるため、どのような内容のドキュメントに対しても正確にリンク情報を作成することができ、かつ、その作業を非常に簡便にできる。
【００５９】
また、記する所定文字列について、ドキュメント中の本文にはありえない文字列、例えば、「＞しおり１」などと不等号などの記号をつけておけば、所定文字列認識時に、テキストデータとされたドキュメント中から誤った文字列を認識してこれを所定文字列とするおそれを抑えることができる。
【００６０】
請求項２、３に記載のリンク情報作成システムでは、リンクを貼りたい箇所に、所定形状印を記しておけば、その印とは近傍の文字列がリンクタイトル画像として抽出され、そのタイトル画像と、その座標位置とを対応付けたリンク情報が作成されるため、どのような内容のドキュメントに対しても正確にリンク情報を作成することができ、かつ、その作業を非常に簡便にできる。
【００６１】
また、記する所定印について、ドキュメント中の本文にはありえない印をつけておけば、所定印認識時に、画像データとされたドキュメント中から誤った箇所を認識してこれを所定印とするおそれを抑えることができる。
【００６２】
特に、請求項２に記載のリンク情報作成システムでは、読み取ったドキュメント画像をＯＣＲ変換により文字データにする必要がなくなり、システムの負荷の抑制、メモリ資源の節約ができる。
【００６３】
請求項４に記載のリンク情報作成システムでは、リンク情報作成手段は、作成したリンク情報を表示手段に表示して、操作手段の操作によりリンク情報が修正されたときには、修正されたリンク情報を正当な情報として取り扱う構成としたので、リンク情報の作成と、確認・修正作業とを別人によって行うことができ、正確なリンク情報の作成ができる。
【００６４】
請求項５に記載のリンク情報作成システムでは、リンク情報作成手段によりリンク情報が作成された際には、画像データとして読み取られたドキュメントのうち、所定文字列または印に相当する箇所を削除するので、リンク情報作成後に不要になった文字列または印の除去を、人手により行う必要がなく、リンク情報作成作業をより簡便にすることができる。
【００６５】
請求項６では、ドキュメントは、所定文字列を記したシールまたは所定形状のシールを貼り付けてなる構成とし、請求項７では、ドキュメントは、所定文字列のスタンプまたは所定形状のスタンプを押印している構成としている。そのため、請求項１〜５に記載の所定文字列または所定形状印の記を簡便にすることができる。
【図面の簡単な説明】
【図１】本発明システムの概略構成の一例を示すブロック図である。
【図２】本発明システムの具体的構成の一例を示す図である。
【図３】ドキュメントの構成の一例を示す図である。
【図４】ドキュメントの構成の他例を示す図である
【図５】リンク情報作成処理の一例について示すフローチャートである。
【図６】リンク情報作成処理の他例について示すフローチャートである。
【図７】リンク情報の登録例について示す図である。
【図８】リンク情報確認・修正画面の一例を示す図である。
【図９】リンク情報の使用例について説明するための図である。
【符号の説明】
Ｓ・・・リンク情報作成システム
Ｄ・・・ドキュメント
Ｅ・・・所定文字列
Ｇ・・・所定形状印
Ｆ・・・所定文字列あるいは所定形状印と近傍の文字列
Ｔ・・・リンクタイトル
Ｐ・・・座標位置
１・・・制御手段
２・・・画像読取手段
３・・・リンク情報作成手段
４・・・文字データ変換手段
６・・・リンクタイトル認識手段
７・・・表示手段
８・・・操作手段
【図１】
2005004616.tif 000003
【図２】
2005004616.tif 000004
【図３】
2005004616.tif 000005
【図４】
2005004616.tif 000006
【図５】
2005004616.tif 000007
【図６】
2005004616.tif 000008
【図７】
2005004616.tif 000009
【図８】
2005004616.tif 000010
【図９】
2005004616.tif 000011